(57)【要約】【課題】突き出た支えを具有する格子柵板を提供する。【解決手段】本発明は突き出た支え構造を具有する格子柵板である。主に格子柵板の側板中央部で縦方向に複数セットの突き出た支え構造を設置する上、横方向の適当距離に突き出た支え構造体の間にスチフナーを挿入し溶接より固定し、側板を利用して回りを包囲し固定し合う波形である突き出た支えを具有する格子柵板である。支え強度が高くて、工事単純で、コストダウンといった抜群の効果が期待できる。【選択図】図５
2010037888.tif 000002
【特許請求の範囲】
【請求項１】
側板、突き出た支えの仕組み及びスチフナーを含み、
該突き出た支えの仕組みは上層に強化バー、中層に突き出た形の支え、下層に溶接で組立てた強化バーを具有し、該スチフナーは矩形で、上部と下部共に複数の嵌入穴を設置することを特徴とする、突き出た支えを具有する格子柵板。
【請求項２】
前記上層は強化バー、中層は突き出た形の支え、下層は強化バーから構成する三層仕組みの請求項１記載の格子柵板。
【請求項３】
前記側板内の縦方向に複数セットの突き出た支えを、横方向に複数枚のスチフナーを並べて組んだ請求項１記載の格子柵板。
【請求項４】
前記補強棒を固定するために、補強スチフナーの上部と下部に嵌入穴を設置することを特徴とする請求項１記載の格子柵板。
【発明の詳細な説明】
【技術分野】
【０００１】
本発明は、突き出た支えを具有する格子柵板に関し、特に、複数セットの突き出た支えを柵板の主体とする強い支え力を持っている格子柵板に関する。
【背景技術】
【０００２】
現在市販の格子柵板は、以下のようなものが挙げられる。
1．各種工場のパーティション、例えば：発電所、焼却炉、汚水処理場、石油化学工場。
2．プラットホームと通路。
3．階段の踏板。
4．コンクリート製品工場。
5．排水溝の蓋、例えば：通路、橋梁、駐車場、公園、都市再構成区域、工業区域などの排水溝蓋。
6．収納棚、フェンス。
【０００３】
普通の格子柵板は該長さ方向に扁平な鋼板を設置し、一定の間隔にバーを並べて、高圧電気抵抗溶接機で溶接し、切断、小口、開口、ラッピングなどの加工プロセスを通して、顧客依頼の製品を作成する。
【特許文献１】特開２００３−２０６５３６号公報
【発明の開示】
【発明が解決しようとする課題】
【０００４】
普通の格子柵板は、製作コストが高くて、工事が煩雑で、構造強度がよくないといった欠点を有する。本発明は前記課題を解決するため、構造が更に改良される格子柵板を提供することを目的とする。
【課題を解決するための手段】
【０００５】
本発明の目的は、突き出た支えを具有する格子柵板を提供することである。主に側板間の縦方向に複数セットの突き出た支え構造を設ける一方、その横方向にスチフナーを設置し、更に前記の突き出た支え構造を強化するため、いくつかの突き出た支え毎にスチフナーを挿入する。
上記突き出た支え構造は三層の構造を持っている。上層は強化バーで、中層は突き出た支えで、下層は側板内に設ける強化バーから組立てた直立してある構造である。更に突き出た支え構造の横方向の強度を向上するため、波型形状である突き出た支えの適当場所でスチフナーを追加し、別1セットの支えを接続する。
【０００６】
本発明は以下の特徴を有する。
（１）側板、突き出た支えの仕組み及びスチフナーを含み、
該突き出た支えの仕組みは上層に強化バー、中層に突き出た形の支え、下層に溶接で組立てた強化バーを具有し、該スチフナーは矩形で、上部と下部共に複数の嵌入穴を設置することを特徴とする、突き出た支えを具有する格子柵板。
（２）前記上層は強化バー、中層は突き出た形の支え、下層は強化バーから構成する三層仕組みの（１）記載の格子柵板。
（３）前記側板内の縦方向に複数セットの突き出た支えを、横方向に複数枚のスチフナーを並べて組んだ（１）記載の格子柵板。
（４）前記補強棒を固定するために、補強スチフナーの上部と下部に嵌入穴を設置することを特徴とする（１）記載の格子柵板。
【０００７】
本発明による突き出た支えを具有する格子柵板の構造と効果を明確に示すために図に沿って下記の如く詳細な説明を行う。
【発明を実施するための最良の形態】
【０００８】
本発明はある突き出た支えを具有する格子柵板1を提供することである。まず図１〜図５に示すように、主に側板01、02、03、04と突き出た支え構造A1、A2、A3、A4、A5、A6とスチフナー05、06、07から構成する。
【０００９】
上記突き出た支え構造A1は強化バー a（棒状或いは扁平状）と突き出た支えb（棒状或いは扁平状）及び強化バー c（棒状或いは扁平状）から構成する。その中、突き出た支えbの一端に突起b1を側板01の端面に、その一端平らな面b2を側板03の端面に、強化バー aを突き出た支えbの上方に、また強化バー cを突き出た支えbの下方に溶接する。
【００１０】
スチフナー05、06、07は矩形で、図4に示すようにその上方の左端面に支えバーb11を、右端面に別の支えバーb21を溶接する。強化バー aを挿入し固定するため、スチフナー05の上部に嵌入穴052を設ける。またスチフナー05下方の適当場所にもう一つの嵌入穴051を開ける。それは突き出た支えbを挿入する際、嵌入穴051が強化バーcを嵌入し固定できるように設置するものである。スチフナー06、07も同じ方式で組立てる。
【００１１】
上述の如く、突き出た支え構造Aは上層に強化バー a、中層に突き出た形の支えb、下層に強化バー cと側板01、02、03、04溶接し合うという仕組みから構成するものである。続いて、下記は実例表として突き出た支えの組み立て構造を具体的に説明する。
【表１】
2010037888.tif 000003
【００１２】
上述の突き出た支え構造体はお客様のニーズによりセット数が調整できる。
【実施例】
【００１３】
まず、鉄材長さ×幅（300ｍｍ×213ｍｍ）と高さ（25mm）厚み（3mm）の側板01、02、03、04を用意する。波状形成機を利用して規格（直径3mm）、斜角（45°）及び高度（19mm）の突き出た支え20を作成する。数本の補強バー08（直径3mm）及び補強バー03（直径3mm）を取って、スポット溶接機を利用し突き出た支え構造体と溶接し固定する上、グリッパを使って高度（22mm）幅（207mm）のスチフナー05、06、07と突き出た支え構造体A1、A2、A3、A4、A5、A6をスポット溶接機で溶接し合い、切断機で適当長さに切断してから、矩形の側板に嵌め込み、溶接し固定すると突き出た支え構造体1が完成。
【００１４】
本発明はある突き出た支えを具有する格子柵板に関し、特許要件に符合し、法律に基いて特許出願を出している。
【図面の簡単な説明】
【００１５】
【図１】本考案格子柵板の俯瞰図である。
【図２】本考案格子柵板の側面断面図である。
【図３】本考案格子柵板の正面断面図である。
【図４】本考案格子柵板の部分説明図である。
【図５】本考案格子柵板の立体図である。
【符号の説明】
【００１６】
1 突き出た支えを具有する格子柵板
01、02、03、04 側板
05、06、07  スチフナー
08、09、10、11、12、13  補強バー（部品符号：a）
14、15、16、17、18、19  補強バー（部品符号：c）
20、21、22、23、24、25  突き出た支え（部品符号：b）
051、052  嵌入穴
a、c  補強バー
b  突き出た支え
b1  突起
b11  支えバー
b2  平らな面
b21  支えバー
A1、A2、A3、A4、A5、A6  突き出た支え構造
【図１】
2010037888.tif 000004
【図２】
2010037888.tif 000005
【図３】
2010037888.tif 000006
【図４】
2010037888.tif 000007
【図５】
2010037888.tif 000008